(57)【要約】【課題】プレキャストコンクリート部材を用いて、効率的に構築することができる柱梁架構の構築方法、プレキャストコンクリート部材及び柱梁架構を提供する。【解決手段】上下方向に接合可能な接合部を備える複数のプレキャストコンクリート（ＰＣ）部材２０，３０，４０を用いて建物１０の柱梁架構１２を構成する。ＰＣ部材２０は、梁部２３と、梁部２３の端部がそれぞれ接続する第１柱部２１及び第２柱部２２とを一体形成することにより構成される。第１のＰＣ柱梁部材としてのＰＣ部材２０の第１柱部２１の上には、第２のＰＣ柱梁部材としてＰＣ部材２０の第２柱部２２を直接的に接合させ、第１のＰＣ柱梁部材としてのＰＣ部材２０の第２柱部２２の上には、第３のＰＣ柱梁部材としてのＰＣ部材２０の第１柱部２１を直接的に接合させる。そして、上下方向で直接的又は間接的に接合される２つのＰＣ部材２０の梁部２３を、異なる高さ位置に配置する。【選択図】図１
2020148041.tif 000002
【特許請求の範囲】
【請求項１】
複数のプレキャストコンクリート（ＰＣ）部材を用いて構成される柱梁架構の構築方法であって、
前記複数のＰＣ部材には、第１、第２及び第３のＰＣ柱梁部材が含まれ、
前記第１、第２及び第３のＰＣ柱梁部材は、梁部と、前記梁部の端部にそれぞれ接続する第１柱部及び第２柱部とを一体で形成することにより構成され、
前記第１柱部及び前記第２柱部には、上下方向に接合可能な接合部が設けられ、
前記第１のＰＣ柱梁部材の第１柱部の上には、前記第２のＰＣ柱梁部材の第２柱部を、直接的又は間接的に接合させ、前記第１のＰＣ柱梁部材の第２柱部の上には、前記第３のＰＣ柱梁部材の第１柱部を直接的又は間接的に接合させることにより、前記柱梁架構を構築し、
上下方向で直接的又は間接的に接合される２つのＰＣ柱梁部材の前記梁部を、異なる高さ位置に配置することを特徴とする柱梁架構の構築方法。
【請求項２】
梁部と、前記梁部の端部がそれぞれ接続する第１柱部及び第２柱部とを一体形成して構成され、
前記第１柱部及び前記第２柱部には、上下方向にのみ接合する接合部が設けられていることを特徴とするプレキャストコンクリート部材。
【請求項３】
複数のプレキャストコンクリート（ＰＣ）部材を用いて構成される柱梁架構であって、
前記複数のＰＣ部材には、第１、第２及び第３のＰＣ柱梁部材が含まれ、
前記第１、第２及び第３のＰＣ柱梁部材は、梁部と、前記梁部の端部にそれぞれ接続する第１柱部及び第２柱部とを一体で形成することにより構成され、
前記第１柱部及び前記第２柱部には、上下方向に接合可能な接合部が設けられ、
前記第１のＰＣ柱梁部材の第１柱部の上には、前記第２のＰＣ柱梁部材の第２柱部が、直接的又は間接的に接合され、前記第１のＰＣ柱梁部材の第２柱部の上には、前記第３のＰＣ柱梁部材の第１柱部が、直接的又は間接的に接合され、
上下方向で直接的又は間接的に接合される２つのＰＣ柱梁部材の前記梁部を、異なる高さ位置に配置したことを特徴とする柱梁架構。
【発明の詳細な説明】
【技術分野】
【０００１】
本発明は、柱梁架構の構築方法、プレキャストコンクリート部材及び柱梁架構に関する。
【背景技術】
【０００２】
従来、プレキャストコンクリート部材で架構を構築することが行われている。この場合、柱部材及び梁部材を個別に製造し仕口部で一体化する工法や、仕口部を含む柱を製造し、大柱を左右から差し込む工法などがある（例えば、非特許文献１及び特許文献１参照）。
【０００３】
非特許文献１に記載の架構は、柱主筋位置に貫通孔を形成した仕口部と梁部とを備えたプレキャストコンクリート部材（ＬＲビーム）と、柱頭部に主筋用モルタル充填型機械式継手（以後、スリーブ継手）を内蔵し、柱主筋が下向きに突出したプレキャストコンクリート柱とを用いて構成される。ＬＲビームの一方の端部に内蔵したスリーブ継手に、他端から突出した梁主筋を水平移動により差し込む（横差しする）ことで梁を接合する。
【０００４】
特許文献１に記載の接合構造では、プレキャスト柱梁仕口部から側方へ梁鉄筋を突出させ、この梁鉄筋が挿入されて定着結合されるスリーブを、プレキャスト梁部材の長手方向一端部に埋設する。
【先行技術文献】
【特許文献】
【０００５】
【特許文献１】特開２００９−１２１０８３号公報
【非特許文献】
【０００６】
【非特許文献１】叶健佑・藤生直人・増田安彦・石川郁男著  「オールプレキャスト化を目指した高層集合住宅の施工−ＬＲＶ工法実施事例」、［online］、［平成３１年２月２５日検索］、インターネット〈URL：https://www.jstage.jst.go.jp/article/coj1975/44/8/44_48/_pdf/-char/ja〉
【発明の概要】
【発明が解決しようとする課題】
【０００７】
従来、上述した非特許文献１や特許文献１に記載されているように、梁を含む架構をプレキャストコンクリート部材で構成する場合には、横差しにより梁を配置していた。このため、同じ階の梁を構築するには、梁を順序よく配置する必要があり、工事手順が複雑で、工期を短縮することが難しかった。
【課題を解決するための手段】
【０００８】
上記課題を解決する柱梁架構の構築方法は、複数のプレキャストコンクリート（ＰＣ）部材を用いて構成される柱梁架構の構築方法であって、前記複数のＰＣ部材には、第１、第２及び第３のＰＣ柱梁部材が含まれ、前記第１、第２及び第３のＰＣ柱梁部材は、梁部と、前記梁部の端部にそれぞれ接続する第１柱部及び第２柱部とを一体で形成することにより構成され、前記第１柱部及び前記第２柱部には、上下方向に接合可能な接合部が設けられ、前記第１のＰＣ柱梁部材の第１柱部の上には、前記第２のＰＣ柱梁部材の第２柱部を、直接的又は間接的に接合させ、前記第１のＰＣ柱梁部材の第２柱部の上には、前記第３のＰＣ柱梁部材の第１柱部を直接的又は間接的に接合させることにより、前記柱梁架構を構築し、上下方向で直接的又は間接的に接合される２つのＰＣ柱梁部材の前記梁部を、異なる高さ位置に配置する。
また、上記課題を解決するプレキャストコンクリート部材は、梁部と、前記梁部の端部がそれぞれ接続する第１柱部及び第２柱部とを一体形成して構成され、前記第１柱部及び前記第２柱部には、上下方向にのみ接合する接合部が設けられている。
【発明の効果】
【０００９】
本発明によれば、プレキャストコンクリート部材を用いて、効率的に柱梁架構を構築することができる。
【図面の簡単な説明】
【００１０】
【図１】第１実施形態における建物の概略を説明する概略斜視図。
【図２】第１実施形態において用いるプレキャストコンクリート部材の斜視図であって、（ａ）は略Ｈ型のプレキャストコンクリート部材、（ｂ）は略Ｉ型のプレキャストコンクリート部材、（ｃ）は最上部に設けるプレキャストコンクリート部材。
【図３】第１実施形態における柱梁架構の構築方法の説明図であって、（ａ）は２階を積層する場合、（ｂ）は３階を積層する場合、（ｃ）は最上階を積層する場合を示す。
【図４】第２実施形態における柱梁架構を説明する要部の正面図。
【図５】変更例における柱梁架構を説明する説明図であって、（ａ）は略Ｈ型のプレキャストコンクリート部材を二次元的に配置した要部の分解斜視図、（ｂ）は略Ｈ型のプレキャストコンクリート部材を一部ずらさずに真上に重ねて配置した要部の正面図。
【図６】変更例におけるプレキャストコンクリート部材を説明する説明図であって、（ａ）は２つの第１柱部及び２つの梁部を有したプレキャストコンクリート部材の斜視図、（ｂ）は（ａ）を配置した柱梁架構の要部の正面図、（ｃ）は異なる形のプレキャストコンクリート部材を用いた柱梁架構の要部の正面図。
【図７】変更例におけるプレキャストコンクリート部材を説明する説明図であって、（ａ）は梁部において分離したプレキャストコンクリート部材、（ｂ）は２つの梁部を備えるプレキャストコンクリート部材を分離したプレキャストコンクリート部材。
【発明を実施するための形態】
【００１１】
（第１実施形態）
以下、図１〜図３を用いて、柱梁架構の構築方法、プレキャストコンクリート部材及び柱梁架構を具体化した第１実施形態を説明する。
【００１２】
図１には、本実施形態の柱梁架構の構築方法によって構築された柱梁架構１２を含む建物１０を示している。この建物１０は、図示しない免震装置を備えた免震建物である。
建物１０は、免震装置の上に設けられた基礎１１、基礎１１の上に設けられた柱梁架構１２、木床１３及び耐震壁１５を備えている。この建物１０の梁は、従来の建物の梁と異なり、一直線上に連続せずに、隣接するプレキャストコンクリート部材の柱間で、異なる高さ位置で梁を配置する。このため、従来の建物に比べて、建物１０の柱が受ける水平力の負担が増加する。そこで、この建物１０においては、免震装置を設け、スパン（柱と柱の間隔）を短くし、耐震壁１５を配置する。具体的には、建物１０の床等に基づく各階の重さを算出し、この重さに基づいて建物１０に加わる水平力を算出する。この水平力から柱や梁に加わるせん断力及び曲げモーメントを算出し、せん断力や曲げモーメントに応じて、柱や梁の大きさ、鉄筋量、スパン、耐震壁１５の特性等を決定する。
【００１３】
建物１０の柱梁架構１２は、３種類のプレキャストコンクリート部材（以下、ＰＣ部材という）を備える。本実施形態の柱梁架構１２は、略Ｈ型のＰＣ部材２０、略Ｉ型のＰＣ部材３０及び略逆溝型のＰＣ部材４０を積層して、柱と大梁を構成する。柱梁架構１２においては、梁部２３の高さ位置を交互にずらしながらＰＣ部材２０を積層し、ＰＣ部材３０をＰＣ部材２０が配置されない側端部に配置し、ＰＣ部材４０を上端部に配置する。ここでは、ＰＣ部材２０，４０が梁部２３，４３を備えるＰＣ柱梁部材として機能する。
【００１４】
図２（ａ）に示すように、ＰＣ部材２０は、それぞれ四角柱形状（直方体形状）の第１柱部２１、第２柱部２２及び梁部２３を備える。本実施形態において、第１柱部２１及び第２柱部２２は、同じ形状であって、建物１０の１階分の高さと同じ鉛直方向の長さＬ１（高さ）を有する。梁部２３の両端部は、それぞれ第１柱部２１及び第２柱部２２の中央部分に接続される。第１柱部２１、第２柱部２２及び梁部２３は、建物の荷重をそれぞれ負担するための鉄筋を内蔵したコンクリートで一体形成される。この場合、第１柱部２１及び第２柱部２２においては、梁部２３が接続する仕口部では鉄筋量が多く、上端部及び下端部においては鉄筋量が少なくなる。本実施形態では、第１柱部２１（第２柱部２２）の上面から梁部２３の中心軸までの長さは、第１柱部２１（第２柱部２２）の下面から梁部２３の中心軸までの長さと同じであり、１階分の高さの半分（Ｌ１／２）である。
【００１５】
本実施形態の第１柱部２１及び第２柱部２２において、梁部２３が接続された部分（側面）以外は、他の梁と接合するための接合部を形成せず、外側面を平坦面で構成する。具体的には、第１柱部２１及び第２柱部２２の外側面には、他の梁と接合するための梁主筋を突出させず、この外側面にスリーブ継手を埋設しない。
【００１６】
また、第１柱部２１（第２柱部２２）の下面には、複数の柱主筋２１ａ（２２ａ）を突出させる。更に、第１柱部２１（第２柱部２２）の上部には、上面が開口された複数の孔を設け、スリーブ継手２１ｂ（２２ｂ）が埋設される。このスリーブ継手２１ｂ（２２ｂ）は、上方に配置されるＰＣ部材の柱主筋と接合させるために用いられる。
【００１７】
図２（ｂ）に示すように、ＰＣ部材３０は、柱梁架構１２の柱を構成する柱部材であって、ＰＣ部材２０の第１柱部２１（第２柱部２２）と同じ大きさの直方体形状の柱部材である。ＰＣ部材３０は、建物１０の柱に加わる荷重を負担するための鉄筋を内蔵したコンクリートで構成される。更に、ＰＣ部材３０の下面には、複数の柱主筋３０ａを突出させ、ＰＣ部材３０の上部には、上面が開口された複数の孔を設け、スリーブ継手３０ｂが埋設される。
【００１８】
図２（ｃ）に示すように、ＰＣ部材４０は、第１柱部４１、第２柱部４２及び梁部４３を備える。ＰＣ部材４０の梁部４３は、ＰＣ部材２０の梁部２３と同じ大きさ及び形状を有する。また、ＰＣ部材４０の第１柱部４１、第２柱部４２は、ＰＣ部材２０の第１柱部２１及び第２柱部２２と同じ断面形状を有し、ＰＣ部材２０において梁部２３から各柱部（２１，２２）の下面までの長さを有する。ＰＣ部材４０の梁部４３の両端部が、第１柱部４１及び第２柱部４２の上端部に固定され、第１柱部４１、第２柱部４２及び梁部４３の上面が面一に構成される。第１柱部４１、第２柱部４２及び梁部４３は、建物１０の荷重をそれぞれ負担するための鉄筋を内蔵したコンクリートで構成される。更に、第１柱部４１（第２柱部４２）の下面には、複数の柱主筋４１ａ（４２ａ）を突出させる。なお、ＰＣ部材４０は最上層で用いる部材であるため、第１柱部４１、第２柱部４２及び梁部４３の上部には、柱主筋との接合部を設けない。この実施形態においては、柱主筋２１ａ，２２ａ，３０ａ、４１ａ，４２ａ及びスリーブ継手２１ｂ，２２ｂ，３０ｂが、上下方向にのみ接合可能な接合部として機能する。
【００１９】
次に、図３を用いて、上述したＰＣ部材２０，３０，４０を用いて、建物１０の柱梁架構１２を構築する方法について説明する。
図３（ａ）に示すように、基礎１１の上に、ＰＣ部材３０及びＰＣ部材２０を接合する。具体的には、基礎１１には、柱を立設する位置に、複数のスリーブ継手（図示せず）を設ける。これらスリーブ継手に、ＰＣ部材２０の柱主筋及びＰＣ部材３０の柱主筋を挿入し、グラウト材を注入する。これにより、基礎１１に、複数のＰＣ部材２０及びＰＣ部材３０が固定（接合）される。この場合、ＰＣ部材２０の第１柱部２１の上面及び第２柱部２２の上面及びＰＣ部材３０の上面には、スリーブ継手２１ｂ，２２ｂ，３０ｂの上部が開口する。
【００２０】
そして、ＰＣ部材２０の梁部２３の上に、例えば、木材等により構成される小梁（図示せず）を渡して固定し、この小梁の上に木床１３を構築する。これにより、１階の床が構成される。
【００２１】
次に、１階を構成した梁部２３を有するＰＣ部材２０の上に、他のＰＣ部材２０を接合する。具体的には、基礎１１に立設したＰＣ部材２０（第１のＰＣ柱梁部材）の第１柱部２１の上に、各ＰＣ部材２０（第２のＰＣ柱梁部材）の第２柱部２２を配置する。更に、ＰＣ部材３０の上、又は下側のＰＣ部材２０（第１のＰＣ柱梁部材）の第２柱部２２の上に、上側のＰＣ部材２０（第３のＰＣ柱梁部材）の各第１柱部２１を配置する。そして、下側のＰＣ部材２０及びＰＣ部材３０のスリーブ継手２１ｂ，２２ｂ，３０ｂの開口部に、上側のＰＣ部材２０の柱主筋２１ａ，２２ａを挿入し、グラウト材を注入する。この場合、上側のＰＣ部材２０の梁部２３は、下側のＰＣ部材２０の梁部２３が配置されていない部分の上方に配置され、下側のＰＣ部材の梁部２３の上方には梁部がない状態になる。更に、第１柱部２１と第２柱部２２との接合位置、ＰＣ部材３０と上側のＰＣ部材２０の第１柱部２１との接合位置は、１階分の中間部（梁から隣接する梁までの高さの中央）に位置することになる。
このときに最上部に位置するＰＣ部材２０の梁部２３に、小梁（図示せず）を設け、この小梁の上に木床１３を形成して、２階の床を構成する。
【００２２】
次に、図３（ｂ）に示すように、２階を構成した梁部２３を有するＰＣ部材２０（第１のＰＣ柱梁部材）の第１柱部２１の上には、ＰＣ部材２０（第２のＰＣ柱梁部材）の第２柱部２２又はＰＣ部材３０を接合する。また、下側のＰＣ部材２０（第１のＰＣ柱梁部材）の第２柱部２２の上に、上側のＰＣ部材２０（第３のＰＣ柱梁部材）の第１柱部２１を接合する。そして、小梁（図示せず）及び木床１３を形成して３階の床を構成する。
以上のようにして、上下階層で略Ｈ型のＰＣ部材２０を水平方向にずらしながら積層する。
【００２３】
そして、図３（ｃ）に示すように、最上階においては、下側のＰＣ部材２０及びＰＣ部材３０の上に、ＰＣ部材４０を接合する。具体的には、ＰＣ部材２０の第２柱部２２の上又はＰＣ部材３０の上に、ＰＣ部材４０の第１柱部４１を接合し、ＰＣ部材２０の第１柱部２１の上に、ＰＣ部材４０の第２柱部４２を接合する。そして、ＰＣ部材４０の梁部４３に、小梁（図示せず）を設け、この小梁の上に木床１３を形成して、最上階の天井を構成する。
【００２４】
以上により、建物１０の柱梁架構１２及び木床１３が構築される。この場合、積層したＰＣ部材２０，４０の各柱部（２１，２２，４１，４２）及びＰＣ部材３０によって建物１０の柱が構成され、ＰＣ部材２０，４０の梁部２３，４３によって、建物１０の大梁が構成される。
その後、上下をＰＣ部材２０の梁部２３によって囲まれた空間に耐震壁１５を設ける。
【００２５】
本実施形態によれば、以下のような効果を得ることができる。
（１−１）本実施形態では、上下方向にのみ接合部が設けられたＰＣ部材２０，３０，４０を用いて柱梁架構１２を構成する。これにより、上下方向にのみ接合することにより柱梁架構１２を構成するので、水平方向の接合は不要である。従って、同じ階における柱梁架構１２の複数の接合を同時期に行なうことができる。その結果、工期の短縮を図ることができる。
【００２６】
（１−２）本実施形態では、梁部２３（４３）は、ＰＣ部材２０（４０）に一体形成されている。これにより、現場で、梁を接合する必要がないため、梁を接合するために用いていた仮設を不要にすることができる。
【００２７】
（１−３）本実施形態では、ＰＣ部材２０の第１柱部２１（第２柱部２２）の上面（又は下面）と梁部２３の中心軸との長さを、建物１０の１階分の高さの半分とした。これにより、ＰＣ部材２０同士を、柱において応力が小さく鉄筋量が少なくなる部分において接合することができる。従って、柱梁架構１２の構築時に、現場で接合する鉄筋箇所を少なくすることができる。
【００２８】
（１−４）本実施形態では、ＰＣ部材２０（第１のＰＣ柱梁部材）の第１柱部２１の上に、他のＰＣ部材２０（第２のＰＣ柱梁部材）の第２柱部２２を接合し、ＰＣ部材２０（第１のＰＣ柱梁部材）の第２柱部２２の上に、他のＰＣ部材２０（第３のＰＣ柱梁部材）の第１柱部２１を接合する。これにより、上下に積層するＰＣ部材２０を、梁部２３の位置が交互にずれるように、梁部２３を規則的に配置することができる。
【００２９】
（第２実施形態）
次に、図４を用いて、柱梁架構の構築方法、ＰＣ部材及び柱梁架構を具体化した第２実施形態を説明する。上記第１の実施形態では、略Ｈ型のＰＣ部材２０は、１階分の高さと同じ鉛直方向の長さの第１柱部２１及び第２柱部２２を備える。本実施形態における略Ｈ型のＰＣ部材は、上記第１実施形態よりも短い第１柱部及び第２柱部を有し、略Ｉ型のＰＣ部材を介して接合する。以下、上記実施形態と同様な部分については、同一の符号を付し、詳細な説明は省略する。
【００３０】
図４に示すように、本実施形態においては、略Ｈ型のＰＣ部材５０、長さが異なる略Ｉ型のＰＣ部材３５，３６及びＰＣ部材４０を組み合わせて構成する。
ＰＣ部材５０は、ＰＣ部材２０と同様に、それぞれ四角柱形状（直方体形状）の第１柱部５１、第２柱部５２及び梁部５３を備える。第１柱部５１及び第２柱部５２は、同じ形状であって、トラック等の一般車両において一般道路上を運搬できる幅（例えば２．５ｍ以下）の長さＬ２（高さ）を有する。梁部５３の両端部は、それぞれ第１柱部５１及び第２柱部５２の中央部に接続される。第１柱部５１、第２柱部５２及び梁部５３は、建物の荷重をそれぞれ負担するための鉄筋を内蔵したコンクリートで一体形成される。
【００３１】
本実施形態の第１柱部５１及び第２柱部５２において、梁部５３が接続された部分以外には、他の梁と接合するための接合部を形成せず、これら外側面を平坦面で構成する。具体的には、第１柱部５１及び第２柱部５２の外側面には、他の梁と接合するための梁主筋を突出させず、この外側面にスリーブ継手を埋設しない。
【００３２】
また、第１柱部５１（第２柱部５２）の下面には、複数の柱主筋を突出させ、第１柱部５１（第２柱部５２）の上部には、上面が開口された複数の孔を設け、スリーブ継手が埋設される。このスリーブ継手は、上方に配置されるＰＣ部材の柱主筋と接合させるために用いられる。
【００３３】
また、略Ｉ型のＰＣ部材３５，３６は、ＰＣ部材３０と同様に、柱梁架構の柱を構成する柱部材であって、鉄筋を内蔵した直方体形状のコンクリートで構成される。ＰＣ部材３５は、建物の側端部に配置される。ＰＣ部材３５，３６は、上下方向に接合されるＰＣ部材５０の間に配置される。これらＰＣ部材３５，３６は、直下に接合したＰＣ部材５０の梁部５３から、直上に接合したＰＣ部材５０の梁部５３までの長さが、それぞれ建物の２階分、１階分となる長さを有する。そして、ＰＣ部材３５（３６）の下面には、複数の柱主筋を突出させ、ＰＣ部材３５（３６）の上部には、上面が開口された複数の孔を設け、スリーブ継手が埋設される。
【００３４】
本実施形態においては、１階を構成する基礎１１の上に、略Ｉ型のＰＣ部材３５，３６を接合する。次に、各ＰＣ部材３６の上に、ＰＣ部材５０の第１柱部５１又は第２柱部５２を接合する。この場合、上記実施形態と同様に、ＰＣ部材５０の梁部５３に、小梁や木床を配置して２階を形成する。
【００３５】
そして、ＰＣ部材５０（第１のＰＣ柱梁部材）の第１柱部５１の上に、ＰＣ部材３６を介して、他のＰＣ部材（第２のＰＣ柱梁部材）の第２柱部５２を接合し、ＰＣ部材５０（第１のＰＣ柱梁部材）の第２柱部５２の上に、ＰＣ部材３６を介して、他のＰＣ部材５０（第３のＰＣ柱梁部材）の第１柱部５１を接合する。更に、側端部に配置されるＰＣ部材３５の上に、ＰＣ部材５０の第１柱部５１を接合する。そして、ＰＣ部材５０の梁部５３に、小梁や木床を配置して３階を形成する。
【００３６】
その後、ＰＣ部材５０（第１のＰＣ柱梁部材）の上に、ＰＣ部材３５，３６を介して、他のＰＣ部材５０（第２及び第３のＰＣ柱梁部材）を積層することを繰り返して、上記第１実施形態と同様に最上階にＰＣ部材４０を接合し、柱梁架構を含む建物を構築する。
【００３７】
本実施形態によれば、上記（１−１）、（１−２）、（１−４）及び（１−５）と同様な効果に加えて、以下のような効果を得ることができる。
（２−１）本実施形態では、ＰＣ部材５０の第１柱部５１及び第２柱部５２は、一般車両において一般道路上を運搬できる幅に対応する長さＬ２で構成する。これにより、略Ｈ型のＰＣ部材５０における梁部５３の軸方向の長さが長い場合には、梁部５３の軸方向を車両の走行方向に延在させてＰＣ部材５０を搬送することができる。
【００３８】
本実施形態は、以下のように変更して実施することができる。本実施形態及び以下の変更例は、技術的に矛盾しない範囲で互いに組み合わせて実施することができる。
・上記各実施形態では、略Ｈ型のＰＣ部材２０，５０や略逆溝型のＰＣ部材４０を、水平面において梁を直線状に配置し、垂直面（建物１０の外周）を構成するように接合する。これに限らず、水平面において梁を２次元的（Ｘ方向及びＹ方向）に配置する構成としてもよい。
【００３９】
例えば、図５（ａ）に示すように、略Ｈ型のＰＣ部材２０の梁部２３を、Ｙ方向に延在するように配置した後、このＰＣ部材２０の上に接合するＰＣ部材２０の梁部２３を、Ｘ方向に延在するように配置してもよい。この場合、異なる水平方向に配置した梁部２３を１階分の高さの中央（中間）に配置するように、第１柱部２１及び第２柱部２２の長さを設定してもよいし、梁部２３が１階分の高さの位置となるように、第１柱部２１及び第２柱部２２の長さを設定してもよい。
【００４０】
・上記各実施形態においては、略Ｈ型のＰＣ部材２０，５０を交互に配置した。ＰＣ部材２０，５０は、交互に配置する場合に限られない。
例えば、図５（ｂ）に示すように、一部において、上下のＰＣ部材２０の第１柱部２１同士、第２柱部２２同士を接合してもよい。この場合には、柱のデザインを種々に変更することができる。
【００４１】
・上記各実施形態においては、ＰＣ部材２０，４０，５０は、梁部２３，４３，５３、第１柱部２１，４１，５１及び第２柱部２２，４２，５２をそれぞれ１つずつ備える。ＰＣ部材が備える第１柱部、第２柱部及び梁部の数は限定されない。例えば、図６（ａ）に示すように、２つの第１柱部２１と、１つの第２柱部２２と、両端部が第１柱部２１及び第２柱部２２に接続された２つの梁部２３を備えるＰＣ部材６０を用いて、架構を構成してもよい。
【００４２】
この場合、図６（ｂ）に示すように、複数のＰＣ部材６０を上下に積層する場合には、第１柱部２１の上にＰＣ部材３６を介して第２柱部２２を接合し、第２柱部２２の上に、ＰＣ部材３６を介して第１柱部２１を接合する。
【００４３】
また、図６（ｃ）に示すように、ＰＣ部材６０と、略Ｈ型のＰＣ部材５０とを用いて架構を構成してもよい。
更に、ＰＣ部材６０の２つの梁部２３を、図６（ａ）に示すように一直線上に形成してもよいし、段差を付けて配置してもよい。
【００４４】
また、２つの梁部を離間して第１柱部及び第２柱部に設けた略＃型のＰＣ部材としてもよい。更に、ＰＣ部材は、第１柱部及び第２柱部が仕口部だけを備えるＰＣ部材であってもよい。この場合においても、横差しを不要にして効率的に柱梁架構を構築することができる。
【００４５】
・上記第２実施形態においては、ＰＣ部材５０は、一般道路を走行できる幅の長さＬ２の第１柱部５１及び第２柱部５２を備える。これに限らず、ＰＣ部材を、梁の長手方向において、一般道路を走行できる幅（長さ）毎に分割してもよい。
【００４６】
例えば、図７（ａ）に示すように、ＰＣ部材２０を、梁部２３を中央部で分離可能なＰＣ部材７１，７２で構成してもよい。この場合、分離（分割）した箇所には、それぞれを接合する接合部を設ける。
具体的には、ＰＣ部材７１は、第１柱部２１と、第１柱部２１に接続された第１梁部２３ａとを備える。第１梁部２３ａには、第１柱部２１と反対側にスリーブ継手２３ｓが埋設される。具体的には、第１梁部２３ａにおける第１柱部２１と接続する部分（一端面）の反対側の部分（他端面）には、開口された複数の孔を設け、スリーブ継手２３ｓを埋設させる。ＰＣ部材７２は、第２柱部２２と、第２柱部２２に接続された第２梁部２３ｂとを備える。第２梁部２３ｂには、第２柱部２２と反対側に複数の梁主筋２３ｒを突出させる。
【００４７】
そして、柱梁架構１２を構築する前に、現場の地上において、ＰＣ部材７１の第１梁部２３ａとＰＣ部材７２の第２梁部２３ｂを接合する。具体的には、第１梁部２３ａのスリーブ継手２３ｓの中空部に、第２梁部２３ｂの梁主筋２３ｒを挿入し、グラウトを注入する。これにより、ＰＣ部材７１，７２によってＰＣ部材２０を形成する。その後、このＰＣ部材２０を用いて柱梁架構１２を構築する。
【００４８】
また、梁部２３が長い場合には、ＰＣ部材７１と、ＰＣ部材７２と、ＰＣ部材７１の第１梁部２３ａとＰＣ部材７２の第２梁部２３ｂとの間を接合する第３梁部となるＰＣ部材とに分割してもよい。
更に、図７（ｂ）に示すように、複数（ここでは２つ）の梁部２３を備えたＰＣ部材８０を、梁部２３において分割可能（分離可能）なＰＣ部材８１，８２で構成してもよい。
【００４９】
・上記各実施形態においては、各柱部（２１，２２，４１，４２，５１，５２）の下面から鉄筋（２１ａ，２２ａ，４１ａ，４２ａ）を突出させ、上部にスリーブ継手（２１ｂ，２２ｂ）を設けた。各柱部の接合部の構成は、これに限定されない。例えば、各柱部の上面から柱主筋を上方に突出させ、下部にスリーブ継手を設けてもよい。
【００５０】
・上記各実施形態のＰＣ部材２０，４０，５０は、第１柱部２１，４１，５１と第２柱部２２，４２，５２は同じ形状とした。第１柱部及び第２柱部は同じ形状に限定されず、梁部の両端に配置された柱部であって、上下に積層できる構成であれば、第１柱部及び第２柱部は、長さ（高さ）や形状が異なってもよいし、断面の大きさや形状等が異なっていてもよい。例えば、第１柱部及び第２柱部は、四角形状の断面に限らず、丸形状の断面や六角形状等の多角形状の断面を有する柱部であってもよい。
【００５１】
次に、上記実施形態及び別例から把握できる技術的思想について、それらの効果とともに以下に追記する。
（ａ）前記第１柱部の上面及び下面、前記第２柱部の上面及び下面は、前記建物の上下の梁間で接合させることを特徴とする請求項１に記載の柱梁架構の構築方法。
従って、この（ａ）に記載の発明によれば、ＰＣ部材同士を、柱において応力が小さく鉄筋量が少なくなる部分において接合することができるので、現場で接合する鉄筋箇所を少なくすることができる。
（ｂ）前記第１柱部及び前記第２柱部は、一般車両において一般道路上を運搬できる幅に対応する長さを有し、前記ＰＣ柱梁部材の前記第１柱部の上及び前記第２柱部の上には、柱部材を介して、他の前記ＰＣ柱梁部材が接合されることを特徴とする請求項１に記載の柱梁架構の構築方法。
従って、この（ｂ）に記載の発明によれば、ＰＣ部材における梁部の軸方向の長さが長い場合には、梁部の軸方向を車両の走行方向に延在させてＰＣ部材を搬送することができる。
【符号の説明】
【００５２】
Ｌ１，Ｌ２…長さ、１０…建物、１１…基礎、１２…柱梁架構、１３…木床、１５…耐震壁、２０，３０，３５，３６，４０，５０，６０，７１，７２，８０，８１，８２…ＰＣ部材、２１，４１，５１…第１柱部、２２，４２，５２…第２柱部、２１ａ，２２ａ，３０ａ，４１ａ，４２ａ，…柱主筋、２１ｂ，２２ｂ，２３ｓ，３０ｂ…スリーブ継手、２３，４３，５３…梁部、２３ａ…第１梁部、２３ｂ…第２梁部、２３ｒ…梁主筋。
【図１】
2020148041.tif 000003
【図２】
2020148041.tif 000004
【図３】
2020148041.tif 000005
【図４】
2020148041.tif 000006
【図５】
2020148041.tif 000007
【図６】
2020148041.tif 000008
【図７】
2020148041.tif 000009